(57)【特許請求の範囲】
【請求項１】
垂直同期信号の周波数に応じたレベルの直流電圧を１次積分する第１積分器と；
前記第１積分器の出力信号を２次積分してパラボラ波を発生させる第２積分器と；
前記第２積分器から出力されるパラボラ波を緩衝増幅するバッファと；
前記バッファの出力信号を反転増幅し，レベルを調節して垂直焦点調節信号として出力する増幅部から構成される垂直焦点調節回路において：
前記第２積分器から出力されるパラボラ波のフロントポーチ及びバックポーチの電圧のレベルを調節するレベル調節手段を設け,
前記レベル調節手段は，前記第２次積分器で積分されるのこぎり波の直流のレベルを調整するものであることを特徴とする垂直焦点調節信号のフロントポーチ／バックポーチ電圧調節回路。
【請求項２】
前記レベル調節手段は：
直流電源から印加される直流電圧を調節して出力する可変直流電圧出力手段と；
前記可変直流電圧出力手段から出力される直流電圧を前記第２積分器に入力されるのこぎり波に加算する加算手段から構成されることを特徴とする請求項１に記載の垂直焦点調節信号のフロントポーチ／バックポーチ電圧調節回路。
【請求項３】
前記可変直流電圧出力手段は可変抵抗であることを特徴とする請求項２に記載の垂直焦点調節信号のフロントポーチ／バックポーチ電圧調節回路。
【請求項４】
前記加算手段は抵抗であることを特徴とする請求項２又は３に記載の垂直焦点調節信号のフロントポーチ／バックポーチ電圧調節回路。
【発明の詳細な説明】
【０００１】
【発明の属する技術分野】
本発明は陰極線管（ＣＲＴ）を表示装置として使用するＴＶ受像機やモニタ等の映像表示機器において，垂直焦点調節信号のフロントポーチ及びバックポーチの電圧のレベルを最適化する垂直焦点調節信号のフロントポーチ／バックポーチ電圧調節回路に関するものである。
【０００２】
【従来の技術】
一般的に陰極線管は後方のネック部に赤色，緑色及び青色の電子ビームを発生させる電子銃を備え，電子銃の前方にはシャドウマスクと赤色，緑色及び青色を発生させる蛍光体が薄く塗ってある蛍光面が設けられている。電子銃から前方に出力される赤色，緑色及び青色の電子ビームはシャドウマスクに形成されている電子ビーム通過孔を通過して赤色，緑色及び青色の蛍光体に衝突して蛍光体が発光し，発光面に所定の映像を表示する。この時，電子銃から前方に出力される赤色，緑色及び青色の電子ビームが赤色，緑色及び青色の蛍光体に正確に衝突することによって，所定の映像が正確にかつ綺麗に表示される。
【０００３】
そして，電子銃には，発生される電子ビームの焦点を調節するための集束電極が備えられている。集束電極に所定の焦点調節信号を印加すると，集束電極は印加された焦点調節信号のレベルによって所定の電界を発生させ，発生した電界の強さによって電子ビームの幅を調節して焦点を調節する。ここで，電子銃から画面の中央，上下及び左右までの距離は各々違うので，電子ビームが蛍光体に衝突する位置，つまり，偏向位置に応じて焦点調節信号のレベルを調節しなければならない。
【０００４】
このため，陰極線管を表示装置として使用している映像表示機器では，水平同期信号及び垂直同期信号の周波数に応じて，水平焦点調節信号及び垂直焦点調節信号を各々発生させている。そして，フライバックトランスの出力電圧を整流及び平滑して直流電圧に変換し，これにより直流電圧を発生させて，発生した直流電圧に水平焦点調節信号及び垂直焦点調節信号を加算した後，電子銃の集束電極に印加している。
【０００５】
図１は従来の焦点調節回路を示したブロック図である。ここで，符号１０は，垂直焦点調節信号を発生させる垂直焦点調節部であり，符号２０は，水平焦点調節信号を発生させる水平焦点調節部である。符号３０は，フライバックトランス４０の出力電圧を整流及び平滑して直流電圧に変換し，焦点調節の基準電圧として出力する直流電圧変換部である。
【０００６】
垂直焦点調節部１０は，垂直同期信号の周波数に応じたレベルの直流電圧を発生させるマイクロコンピュータ１１と，マイクロコンピュータ１１の出力電圧をパラボラ波に変換するパラボラ波発生部１３と，パラボラ波発生部１３の出力信号を緩衝増幅するバッファ１５と，バッファ１５の出力信号を増幅して垂直焦点調節信号として出力する増幅部１７とから構成される。
【０００７】
図４は従来の焦点調節回路での垂直焦点調節部１０’の内部構成を示した回路図である。パラボラ波発生部１３は，のこぎり波を発生させる第１積分器１１１と，パラボラ波を発生させる第２積分器１１３から主に構成される。
【０００８】
図４に示すように，パラボラ波発生部１３の第１積分器１１１は，演算増幅器ＯＰ１１と，抵抗Ｒ１１と，スイッチング素子ＳＷ１１と，コンデンサＣ１１とから主に構成されている。そして，マイクロコンピュータ１１の出力端子は，抵抗Ｒ１１を介して演算増幅器ＯＰ１１の反転入力端子−に接続され，演算増幅器ＯＰ１１の反転入力端子−と演算増幅器ＯＰ１１の間には，垂直帰線消去信号によって作動するスイッチング素子ＳＷ１１とコンデンサＣ１１が，並列に接続されており，第１積分器１１１の出力端子からのこぎり波を発生させるように構成されている。
【０００９】
また，パラボラ波発生部１３の第２積分器１１３は，演算増幅器ＯＰ１３と，抵抗Ｒ１３と，スイッチング素子ＳＷ１３と，コンデンサＣ１３とから主に構成されている。そして，第１積分器１１１の出力端子は，コンデンサＣ１３及び抵抗Ｒ１３を順次介して演算増幅器ＯＰ１３の反転入力端子−に接続され，演算増幅器ＯＰ１３の反転入力端子−と演算増幅器ＯＰ１３の間には，垂直帰線消去信号によって作動するスイッチング素子ＳＷ１３とコンデンサＣ１５が，並列に接続されており，第２積分器１１３の出力端子からパラボラ波を発生させるように構成されている。
【００１０】
また，電源端子Ｂ１に対して，抵抗Ｒ１５とＲ１７が直列接続されており，抵抗Ｒ１５とＲ１７の接続点は，演算増幅器ＯＰ１１及びＯＰ１３の非反転入力端子＋に共通接続されている。
【００１１】
パラボラ波発生部１３の後段に接続されているバッファ１５は，トランジスタＱ１１と，抵抗Ｒ１９，Ｒ２１，Ｒ２３及びＲ２５と，コンデンサＣ１３とから主に構成されている。図４に示すように，パラボラ波発生部１３の出力端子は，抵抗Ｒ１９及びコンデンサＣ１７を順次介して接地抵抗Ｒ２１及びトランジスタＱ１１のべースに接続されている。そして，電源端子Ｂ１は，抵抗Ｒ２３を介してコンデンサＣ１７，接地抵抗Ｒ２１及びトランジスタＱ１１のべースの接続点に接続されている。さらに，電源端子Ｂ１は，トランジスタＱ１１のコレクタに接続され，接地抵抗Ｒ２５は，トランジスタＱ１１のエミッタに接続されている。
【００１２】
バッファ１５の後段に接続されている増幅部１７は，トランジスタＱ１３と，抵抗Ｒ２７，Ｒ２９及びＲ３１とから主に構成されている。図４に示すように，バッファ１５の出力端子は，トランジスタＱ１３のべースに接続され，接地抵抗Ｒ２７は，トランジスタＱ１３のエミッタに接続されている。そして，電源端子Ｂ２は，抵抗Ｒ２９を介してトランジスタＱ１３のコレクタに接続され，トランジスタＱ１３のコレクタと抵抗Ｒ２９の接続点から抵抗Ｒ３１を介して垂直焦点調節信号が出力されるように構成されている。
【００１３】
このように構成された従来の焦点調節回路の垂直焦点調節部１０’において，まず，電源端子Ｂ１の電源電圧は抵抗Ｒ１５とＲ１７によって分圧されて，第１積分器１１１及び第２積分器１１３の演算増幅器ＯＰ１１及びＯＰ１３の非反転入力端子＋に基準電圧として印加される。一方，マイクロコンピュータ１１からは，垂直同期信号の周波数に応じたレベルの直流電圧が出力されている。このマイクロコンピュータ１１が出力する直流電圧は，第１積分器１１１の抵抗Ｒ１１を介して演算増幅器ＯＰ１１の反転入力端子−に印加される。そして，第１積分器１１１は，電源端子Ｂ１の電源電圧を抵抗Ｒ１５とＲ１７によって分圧して得た基準電圧と，マイクロコンピュータ１１が出力する直流電圧を比較増幅しながら，マイクロコンピュータ１１が出力する直流電圧を抵抗Ｒ１１及びコンデンサＣ１１の時定数によって積分する。こうして，第１積分器１１１の出力信号のレベルは，次第に増加することになり，このような状態で，図５（Ａ）に示すような垂直帰線消去信号が入力されると，スイッチング素子ＳＷ１１が接続される。すると，第１積分器１１１の積分動作が停止して，出力信号のレベルが減少する。即ち，第１積分器１１１の演算増幅器ＯＰ１１の出力端子からは，図３（Ｂ）に示すような，垂直帰線消去信号の周期を持つのこぎり波が出力される。
【００１４】
第１積分器１１１が出力するのこぎり波は，第２積分器１１３のコンデンサＣ１３を介して直流電圧が除去され，再び抵抗Ｒ１３を介して演算増幅器ＯＰ１３の反転入力端子−に印加される。そして，第２積分器１１３は，電源端子Ｂ１の電源電圧を抵抗Ｒ１５とＲ１７によって分圧して得た基準電圧と，第１積分器１１１から出力されるのこぎり波を，抵抗Ｒ１３及びコンデンサＣ１５の時定数によって２次積分して出力し，図５（Ｃ）に示すようなパラボラ波を出力する。その後に，垂直帰線消去信号が入力され，スイッチング素子ＳＷ１３が接続されることによって第２積分器１１３の積分動作が停止される。
【００１５】
このようにパラボラ波発生部１３から出力されるパラボラ波は，バッファ１５の抵抗Ｒ１９を介し，コンデンサＣ１７によって直流レベルが除去された後，トランジスタＱ１１のべースに印加される。そして，トランジスタＱ１１のエミッタに，図５（Ｄ）に示すようなパラボラ波が出力される。トランジスタＱ１１は，エミッタホロワとして作動するもので，後段の増幅部１７のトランジスタＱ１３のべースにパラボラ波が印加される際に，電流不足等によって生じる波形の歪み等を防止する。続いて，バッファ１５の出力信号は，増幅部１７のトランジスタＱ１３のべースに印加される。トランジスタＱ１３は，バッファ１５の出力信号を増幅し，図５（Ｅ）に示すような反転された垂直焦点調節信号を出力する。
【００１６】
以上のようにして，垂直焦点調節部１０’の増幅部１７から出力される垂直焦点調節信号は，水平焦点調節部２０が出力する水平焦点調節信号及び直流電圧変換部３０の出力電圧に加算され，電子銃の集束電極に焦点調節信号として印加され，電子ビームの焦点を調節することになる。
【００１７】
このような従来の焦点調節回路においては，垂直同期信号の周波数によってマイクロコンピュータ１１から出力される直流電圧のレベルを調節して，一定の垂直焦点調節信号の利得を得ることができるので，理想的なダイナミック焦点調節を実現できる。例えば，垂直同期信号の周波数が６０Ｈｚの場合には，マイクロコンピュータ１１が１０Ｖを出力して垂直焦点調節信号の利得を２００Ｖに維持し，垂直同期信号の周波数が７５Ｈｚの場合には，マイクロコンピュータ１１が７Ｖを出力して垂直焦点調節信号の利得を２００Ｖに維持し，垂直同期信号の周波数が１２０Ｈｚの場合には，マイクロコンピュータ１１が２Ｖを出力して垂直焦点調節信号の利得を２００Ｖに維持する。
【００１８】
また，上述した従来の技術は，陰極線管の生産工程で微細な誤差を発生させず，かつ，正確に組み立てられた場合には，陰極線管の画面全体にかけて焦点が正確に調節され，所定の映像を鮮明にかつ綺麗に表示できる。
【００１９】
【発明が解決しようとする課題】
しかしながら，実際の陰極線管の生産工程においては，陰極線管を製造する工程で画面の上側あるいは下側の部位で微細な誤差が発生している。従って，上述したように垂直焦点調節信号を精密に発生させても，画面の上側あるいは下側の部位の焦点が正確に調節されず，これにより，映像が鮮明にかつ綺麗に表示されないという問題点があった。
【００２０】
本発明は，上記のような問題点に鑑みてなされたものであり，その目的は，陰極線管の画面の上部と下部に微細な誤差が発生しても画面の上部及び下部の焦点を正確に調節することができるようにした新規かつ改良された垂直焦点調節信号のフロントポーチ／バックポーチ電圧調節回路を提供することにある。
【００２１】
【課題を解決するための手段】
このような目的を達成するために，本発明の第１の観点にかかる発明は，垂直同期信号の周波数に応じたレベルの直流電圧を１次積分する第１積分器と，前記第１積分器の出力信号を２次積分してパラボラ波を発生させる第２積分器と，前記第２積分器から出力されるパラボラ波を緩衝増幅するバッファと，前記バッファの出力信号を反転増幅し，レベルを調節して垂直焦点調節信号として出力する増幅部から構成される垂直焦点調節回路において，前記第２積分器から出力されるパラボラ波のフロントポーチ及びバックポーチの電圧のレベルを調節するレベル調節手段を設け，さらに，前記レベル調節手段は，前記第２次積分器で積分されるのこぎり波の直流のレベルを調整するものであることを特徴とする垂直焦点調節信号のフロントポーチ／バックポーチ電圧調節回路を構成する。
【００２２】
かかる構成によれば，垂直焦点調節回路は，垂直焦点調節信号のフロントポーチ及びバックポーチの電圧のレベルを調節するレベル調節手段を備えている。そして，垂直焦点調節信号のフロントポーチ及びバックポーチの電圧のレベルを調節するために，本発明は，マイクロコンピュータから出力される直流電圧を第１次積分して発生させたのこぎり波に，レベル調節手段において作業者の操作により調節された所定レベルの直流電圧を加算し，第２次積分器で２次積分してパラボラ波を発生させるものである。このように，のこぎり波に加算する直流電圧のレベルを調節することによって，垂直焦点調節信号のフロントポーチ及びバックポーチの電圧のレベルが調節される。従って，画面の上部及び下部に微細な誤差が発生しても垂直焦点調節信号のフロントポーチ及びバックポーチの電圧のレベルを調節して焦点を正確に調節することができる。
【００２３】
さらに，レベル調節手段を，第２次積分器で積分されるのこぎり波の直流のレベルを調整するように構成によれば，第２積分器で積分されるのこぎり波の直流のレベルを調節することにより，垂直焦点調節信号のフロントポーチ及びバックポーチの電圧のレベルを調節することができる。
【００２４】
更に，前記レベル調節手段は直流電源から印加される直流電圧を調節して出力する可変直流電圧出力手段と，前記可変直流電圧出力手段から出力される直流電圧を前記第２積分器に入力されるのこぎり波に加算する加算手段から構成されることが好ましい。また，前記可変直流電圧出力手段は可変抵抗であることが好ましく，前記加算手段は抵抗であることが好ましい。かかる構成によれば，レベル調節手段は，レベルが調整された直流電圧を第２積分器に入力することができる。
【００２５】
【発明の実施の形態】
以下，本発明の垂直焦点調節信号のフロントポーチ／バックポーチ電圧調節回路の好適な実施形態について詳細に説明する。なお，本明細書において，実質的に同一の機能構成を有する構成要素については，同一符号を付することにより，重複説明を省略することにする。
【００２６】
本発明の実施形態にかかる垂直焦点調節部は，図１に示す焦点調節回路に適応されるものであるが，焦点調節回路の構成及び動作については，従来技術に関連してすでに説明したので，ここでは詳細な説明を省略する。
【００２７】
図２は，本発明の実施形態に特徴的な後述するレベル調節手段１９が設けられた焦点調節回路の垂直焦点調節部１０の詳細回路図である。垂直焦点調節部１０は，垂直同期信号の周波数に応じたレベルの直流電圧を１次積分する第１積分器１１１と，第１積分器１１１の出力信号を２次積分してパラボラ波を発生させる第２積分器１１３と，第２積分器１１３から出力されるパラボラ波を緩衝増幅するバッファ１５と，バッファ１５の出力信号を反転増幅し，レベルを調節して垂直焦点調節信号として出力する増幅部１７を備えており，さらに，第２積分器１１３から出力されるパラボラ波のフロントポーチ及びバックポーチの電圧のレベルを調節するレベル調節手段１９を備えている。
【００２８】
図２に示すように，パラボラ波発生部１３の第１積分器１１１は，演算増幅器ＯＰ１１と，抵抗Ｒ１１と，スイッチング素子ＳＷ１１と，コンデンサＣ１１とから主に構成されている。そして，マイクロコンピュータ１１の出力端子が抵抗Ｒ１１を介して演算増幅器ＯＰ１１の反転入力端子−に接続され，演算増幅器ＯＰ１１の反転入力端子−と演算増幅器ＯＰ１１の間には，垂直帰線消去信号によって作動するスイッチング素子ＳＷ１１とコンデンサＣ１１が並列に接続されており，第１積分器１１１の出力端子からのこぎり波を発生させるように構成されている。
【００２９】
また，パラボラ波発生部１３の第２積分器１１３は，演算増幅器ＯＰ１３と，抵抗Ｒ１３と，スイッチング素子ＳＷ１３と，コンデンサＣ１３とから主に構成されている。そして，第１積分器１１１の出力端子は，コンデンサＣ１３及び抵抗Ｒ１３を順次介して演算増幅器ＯＰ１３の反転入力端子−に接続され，演算増幅器ＯＰ１３の反転入力端子−と演算増幅器ＯＰ１３の間には垂直帰線消去信号によって作動するスイッチング素子ＳＷ１３とコンデンサＣ１５が並列に接続されており，第２積分器１１３の出力端子からパラボラ波を発生させるように構成されている。
【００３０】
また，電源端子Ｂ１に対して，抵抗Ｒ１５とＲ１７が直列接続されており，抵抗Ｒ１５とＲ１７の接続点は，演算増幅器ＯＰ１１及びＯＰ１３の非反転入力端子＋に共通接続されている。
【００３１】
また，レベル調節手段１９は，電源端子Ｂ３の電源電圧を作業者の操作によって分圧して調節する可変直流電圧出力手段である可変抵抗ＶＲ２１と，可変抵抗ＶＲ２１の出力電圧を第２積分器１１３で積分されるのこぎり波に加算する加算手段である抵抗Ｒ２１を備えている。そして，抵抗Ｒ２１は，演算増幅器ＯＰ１３の非反転入力端子−に接続されている。
【００３２】
パラボラ波発生部１３の後段に接続されているバッファ１５は，トランジスタＱ１１と，抵抗Ｒ１９，Ｒ２１，Ｒ２３及びＲ２５と，コンデンサＣ１３とから主に構成されている。図２に示すように，パラボラ波発生部１３の出力端子は，抵抗Ｒ１９及びコンデンサＣ１７を順次介して接地抵抗Ｒ２１及びトランジスタＱ１１のべースに接続されている。そして，電源端子Ｂ１は，抵抗Ｒ２３を介してコンデンサＣ１７，接地抵抗Ｒ２１及びトランジスタＱ１１のべースの接続点に接続される。さらに，電源端子Ｂ１は，トランジスタＱ１１のコレクタに接続され，接地抵抗Ｒ２５は，トランジスタＱ１１のエミッタに接続されている。
【００３３】
バッファ１５の後段に接続されている増幅部１７は，トランジスタＱ１３と，抵抗Ｒ２７，Ｒ２９及びＲ３１とから主に構成されている。図２に示すように，バッファ１５の出力端子は，トランジスタＱ１３のべースに接続され，接地抵抗Ｒ２７は，トランジスタＱ１３のエミッタに接続されている。そして，電源端子Ｂ２は，抵抗Ｒ２９を介してトランジスタＱ１３のコレクタに接続され，トランジスタＱ１３のコレクタと抵抗Ｒ２９の接続点から抵抗Ｒ３１を介して垂直焦点調節信号が出力されるように構成されている。
【００３４】
以上のように構成された本発明の焦点調節回路の垂直焦点調節部１０の動作について説明する。
【００３５】
まず，電源端子Ｂ１の電源電圧は，抵抗Ｒ１５とＲ１７によって分圧されて，第１積分器１１１及び第２積分器１１３の演算増幅器ＯＰ１１及びＯＰ１３の非反転入力端子＋に基準電圧として印加される。一方，マイクロコンピュータ１１からは，垂直同期信号の周波数に応じたレベルの直流電圧が出力されている。このマイクロコンピュータ１１が出力する直流電圧は，第１積分器１１１の抵抗Ｒ１１を介して演算増幅器ＯＰ１１の反転入力端子−に印加される。そして，第１積分器１１１は，電源端子Ｂ１の電源電圧を抵抗Ｒ１５とＲ１７によって分圧して得た基準電圧と，マイクロコンピュータ１１が出力する直流電圧を比較増幅しながら，マイクロコンピュータ１１が出力する直流電圧を抵抗Ｒ１１及びコンデンサＣ１１の時定数によって積分する。こうして，第１積分器１１１の出力信号のレベルは，次第に増加することになり，このような状態で，図３（Ａ）に示すような垂直帰線消去信号が入力されると，スイッチング素子ＳＷ１１が接続される。すると，第１積分器１１１の積分動作が停止し，出力信号のレベルが減少する。即ち，垂直同期信号の周波数によってマイクロコンピュータ１１が出力する直流電圧を第１積分器１１１が積分し，第１積分器１１１の演算増幅器ＯＰ１１の出力端子から，図３（Ａ）に示すような同じ垂直帰線消去信号の周期を持つのこぎり波を発生させる。
【００３６】
第１積分器１１１が出力するのこぎり波は，第２積分器１１３のコンデンサＣ１３を介して直流電圧が除去され，再び抵抗Ｒ１３を介して演算増幅器ＯＰ１３の反転入力端子−に印加される。そして，第２積分器１１３は，電源端子Ｂ１の電源電圧を抵抗Ｒ１５とＲ１７によって分圧して得た基準電圧と，第１積分器１１１から出力されるのこぎり波を，抵抗Ｒ１３及びコンデンサＣ１５の時定数によって２次積分して出力して，パラボラ波を出力する。その後に，垂直帰線消去信号が入力され，スイッチング素子ＳＷ１３が接続されることによって第２積分器１１３の積分動作が停止される。
【００３７】
パラボラ波発生部１３から出力されるパラボラ波は，バッファ１５の抵抗Ｒ１９を介し，コンデンサＣ１７によって直流レベルが除去された後，トランジスタＱ１１のべースに印加される。そして，トランジスタＱ１１のエミッタにパラボラ波が出力される。トランジスタＱ１１は，エミッタホロワとして作動するもので，後段の増幅部１７のトランジスタＱ１３のべースにパラボラ波が印加される際に，電流不足等によって生じる波形の歪み等を防止する。続いて，バッファ１５の出力信号は，増幅部１７のトランジスタＱ１３のべースに印加される。トランジスタＱ１３は，バッファ１５の出力信号を増幅し，反転された垂直焦点調節信号を出力する。
【００３８】
このように，第１積分器１１１から出力されるのこぎり波は，第２積分器１１３に入力されて２次積分され，垂直帰線消去信号の周期を持つパラボラ波に変換され，出力される。そして，第２積分器１１３から出力されるパラボラ波は，バッファ１５を介して増幅部１７で反転され，レベルが調節された後，垂直焦点調節信号として出力され垂直焦点を調節することになる。
【００３９】
以上の動作の説明に関しては，従来技術に関連して説明した図４中の垂直焦点調節部１０’の動作とほぼ同じである。しかしながら，陰極線管の上部及び下部に微細な誤差が発生する場合があり，そのために，レベル調節手段１９が設けられている。ここで，垂直焦点調節信号のフロントポーチ／バックポーチ電圧調節回路として動作するレベル調節手段１９の動作について説明する。
【００４０】
まず，このように垂直焦点調節部１０が作動する状態で，陰極線管の上部及び下部に微細な誤差が発生されることなく正確に製造された場合には，レベル調節手段１９は基準電圧だけを出力するように可変抵抗ＶＲ２１を調節する。
【００４１】
レベル調節手段１９の可変抵抗ＶＲ２１が出力する基準電圧は，加算手段である抵抗Ｒ２１を介し，第２積分器１１３に入力されるのこぎり波に加算される。その後，のこぎり波と共に可変抵抗ＶＲ２１が出力する基準電圧は，演算増幅器ＯＰ１３の反転入力端子−に印加されて２次積分される。そして，第２積分器１１３の出力端子には，図３（Ｂ）に示すようなフロントポーチ及びバックポーチの電圧のレベルが同一なパラボラ波が発生し，かかるパラボラ波は，バッファ１５及び増幅部１７を介して垂直焦点調節信号として出力され，陰極線管の上部及び下部に関係なく同一な状態に焦点を調節することになる。
【００４２】
一方，陰極線管の上部あるいは下部に微細な誤差が発生した場合には，レベル調節手段１９の可変直流電圧出力手段である可変抵抗ＶＲ２１によって，レベル調節手段１９から出力される直流電圧のレベルを調節し，パラボラ波のフロントポーチ及びバックポーチの電圧のレベルを調節する。
【００４３】
例えば，パラボラ波のフロントポーチの電圧のレベルよりバックポーチの電圧のレベルを高くする必要がある場合には，可変抵抗ＶＲ２１を調節してレベル調節手段１９から出力される直流電圧のレベルが低くなるように調節する。そして，第２積分器１１３によって積分されるのこぎり波には，レベルの低い直流電圧が加算されることになり，のこぎり波は，レベルの低い直流電圧と共に第２積分器１１３で２次積分される。これによって第２積分器１１３は，図３（Ｃ）に示すようなフロントポーチの電圧のレベルよりバックポーチの電圧のレベルが高くなったパラボラ波を出力する。
【００４４】
また，パラボラ波のフロントポーチの電圧のレベルよりバックポーチの電圧のレベルを低くする必要がある場合には，可変抵抗ＶＲ２１を調節してレベル可変直流電圧出力手段１９から出力される直流電圧のレベルが高くなるように調節する。そして，第２積分器１１３によって積分されるのこぎり波には，レベルの高い直流電圧が加算されることになり，のこぎり波は，レベルの高い直流電圧と共に第２積分器１１３で２次積分される。これによって第２積分器１１３は，図３（Ｄ）に示すようなフロントポーチの電圧のレベルよりバックポーチの電圧のレベルが低くなったパラボラ波を出力する。
【００４５】
以上のように，本実施の形態にかかる垂直焦点調節信号のフロントポーチ／バックポーチ電圧調節回路によれば，レベル調節手段１９により垂直焦点調節信号として出力されるパラボラ波のフロントポーチ及びバックポーチの電圧のレベルを最適化することによって，陰極線管の上部及び下部に微細な誤差が発生しても正確に焦点を調節することができる。
【００４６】
なお，添付図面を参照にしながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００４７】
【発明の効果】
以上のように本発明は，垂直焦点調節信号として出力されるパラボラ波のフロントポーチの電圧のレベルとバックポーチの電圧のレベルを調節し，互いの電圧のレベルに差異があるようなパラボラ波を発生させ，これにより垂直焦点調節信号の調節を可能にさせる。従って，陰極線管の製造工程で上部及び下部に微細な誤差が発生しても焦点を調節して画面全体にかけて鮮明にかつ綺麗に映像が表示される。
【図面の簡単な説明】
【図１】  典型的な焦点調節回路を示したブロック図である。
【図２】本発明の実施形態にかかる垂直焦点調節信号のフロントポーチ／バックポーチ電圧調節回路が備えられた焦点調節回路での垂直焦点調節部の詳細な回路図である。
【図３】図２の各部の動作波形図である。
【図４】従来の焦点調節回路での垂直焦点調節部の詳細な回路図である。
【図５】図５の各部の動作波形図である。
【符号の説明】
１０  １０’  垂直焦点調節部
１１  マイクロコンピュータ
１３  パラボラ波発生部
１５  バッファ
１７  増幅部
１９  レベル調節手段
１１１  第１積分器
１１３  第２積分器
ＶＲ２１  可変抵抗
Ｒ２１  抵抗
【図１】
0003877019.tif 000002
【図２】
0003877019.tif 000003
【図３】
0003877019.tif 000004
【図４】
0003877019.tif 000005
【図５】
0003877019.tif 000006